(57)【要約】【課題】外部からの着信があると、煩雑な操作を必要とせずにその内容を確認できる携帯端末装置、その制御方法及びプログラムを提供する。【解決手段】携帯端末装置１００は、表示装置１１を有する上部筐体１０と操作キー２１を有する下部筐体２０とを有し、上部筐体１０と下部筐体２０とが展開される展開状態と、上部筐体１０と下部筐体２０とが表示装置１１及び操作キー２１を内側にして折り畳まれる折畳み状態との間で移行可能である。携帯端末装置１００は、折畳み状態から展開状態に移行させるスイッチ４０を有し、折畳み状態で外部からメール着信があり、スイッチ４０の操作によって折畳み状態から展開状態に移行すると、メールの内容を表示装置１１に表示する。【選択図】図１
2010081158.tif 000002
【特許請求の範囲】
【請求項１】
表示装置を有する上部筐体と操作キーを有する下部筐体とを有し、前記上部筐体と前記下部筐体とが展開される展開状態と、前記上部筐体と前記下部筐体とが前記表示装置及び操作キーを内側にして折り畳まれる折畳み状態との間で移行可能な携帯端末装置であって、
前記折畳み状態から前記展開状態に移行させるスイッチを有し、
前記折畳み状態で外部からメール着信があり、前記スイッチの操作によって前記折畳み状態から前記展開状態に移行すると、前記メールの内容を前記表示装置に表示することを特徴とする携帯端末装置。
【請求項２】
前記展開状態でメール着信があると、前記表示装置は、メール着信があった旨を表示する、請求項１に記載の携帯端末装置。
【請求項３】
前記操作キーによる設定に従って選択可能な第１及び第２の表示モードを有し、前記展開状態でメール着信があると、前記第１の表示モードでは、メール着信があった旨を表示し、前記第２の表示モードでは、メールの内容を表示する、請求項１に記載の携帯端末装置。
【請求項４】
前記第１の表示モードでは、前記折畳み状態でメール着信があり、該折畳み状態から前記展開状態に移行すると、メール着信履歴を表示する、請求項３に記載の携帯端末装置。
【請求項５】
外部から着呼があった状態で、前記スイッチの操作によって前記折畳み状態から前記展開状態に移行すると、前記表示装置は、着呼に関連する表示を行う、請求項１〜４の何れか一に記載の携帯端末装置。
【請求項６】
表示装置を有する上部筐体と操作キーを有する下部筐体とを有し、前記上部筐体と前記下部筐体とが展開される展開状態と、前記上部筐体と前記下部筐体とが前記表示装置及び操作キーを内側にして折り畳まれる折畳み状態との間で移行可能な携帯端末装置の制御方法であって、
前記折畳み状態から前記展開状態に移行させるスイッチの操作を検出するステップと、
前記折畳み状態で外部からメール着信があった後に、前記スイッチの操作を検出すると、前記メールの内容を前記表示装置に表示するステップとを有することを特徴とする携帯端末装置の制御方法。
【請求項７】
前記操作キーによる設定に従って第１の表示モード又は第２の表示モードを選択するステップを更に有し、
前記展開状態でメール着信があると、前記第１の表示モードでは、メール着信があった旨を表示し、前記第２の表示モードでは、メールの内容を表示する、請求項６に記載の携帯端末装置の制御方法。
【請求項８】
表示装置を有する上部筐体と操作キーを有する下部筐体とを有し、前記上部筐体と前記下部筐体とが展開される展開状態と、前記上部筐体と前記下部筐体とが前記表示装置及び操作キーを内側にして折り畳まれる折畳み状態との間で移行可能な携帯端末装置に搭載されるコンピュータを制御するプログラムであって、前記コンピュータに、
前記折畳み状態から前記展開状態に移行させるスイッチの操作を検出するステップと、
前記折畳み状態で外部からメール着信があった後に、前記スイッチの操作を検出すると、前記メールの内容を前記表示装置に表示するステップとを実行させることを特徴とするプログラム。
【請求項９】
前記コンピュータに、
前記操作キーによる設定に従って第１の表示モード又は第２の表示モードを選択するステップを更に実行させ、
前記展開状態でメール着信があると、前記第１の表示モードでは、メール着信があった旨を表示装置上に表示させ、前記第２の表示モードでは、メールの内容を表示装置上に表示させる、請求項８に記載のプログラム。
【発明の詳細な説明】
【技術分野】
【０００１】
本発明は、携帯端末装置、その制御方法及びプログラムに関し、更に詳しくは、表示装置を有する上部筐体と操作キーを有する下部筐体とからなる携帯端末装置、その制御方法及びプログラムに関する。
【背景技術】
【０００２】
携帯電話装置等の携帯端末装置には、表示装置を有する上部筐体と、操作キーを有する下部筐体とを備え、上部筐体と下部筐体とがヒンジ等により接続された折畳み式のものがある。折畳み式の携帯端末装置は、上部筐体と下部筐体とが展開される展開状態と、上部筐体と下部筐体とが表示装置及び操作キーを内側にして折り畳まれる折畳み状態との間で移行可能である。
【０００３】
特許文献１には、折畳み状態で着信があり、折畳み状態から展開状態に移行したことを状態検出部で検出すると、着信に応答する折畳み式の携帯端末装置が記載されている。
【０００４】
特許文献２には、折畳み状態で筐体の内面及び外面に位置するようにそれぞれ配置される第１及び第２表示手段を備えた携帯端末装置が記載されている。この携帯端末装置では、折畳み状態でメールを着信すると、第２表示手段にタイトルを含めて未読メールを表示し、折畳み状態から展開状態に移行したことを検出部で検出すると、メールの詳細が第１表示手段に表示される。
【０００５】
特許文献３には、ショートボタン（ワンプッシュボタン）の操作によって折畳み状態から展開状態に移行する、いわゆるワンプッシュオープン機能を備えた移動体通信端末が記載されている。移動体通信端末は、折畳み状態でメール着信等のイベントが発生した場合に、ワンプッシュボタンが押下され、展開状態が検出されると、予め設定されたプログラムを起動する。
【０００６】
【特許文献１】特開２００３−２５８９４４号公報
【特許文献２】特開２００４−０４０２９０号公報
【特許文献３】特開２００６−３３２８１０号公報
【発明の開示】
【発明が解決しようとする課題】
【０００７】
折畳み式の携帯電話装置では、折畳み状態で外部から着信があると、まず、折畳み状態から展開状態に移行させ、続いて、上部筐体の表示装置に表示されるアイコンをキー操作により選択する必要があった。折畳み式の携帯電話装置では、キー操作によってアイコンを選択することで、アイコンに関連付けられた着信の内容が表示装置に表示される。このように、折畳み式の携帯電話装置では、折畳み状態で外部からメール着信や通話着信があった際に、これらの着信の内容を確認するための操作が煩雑であった。
【０００８】
特許文献１では、展開状態への移行により着信に応答することが記載されているものの、新着メール等の着信の内容を確認する際の具体的な構成が記載されていない。
【０００９】
特許文献２では、折畳み状態で未読メールのタイトルを第２表示手段に表示し、展開状態への移行により、継続してメールの内容を第１表示手段に表示する。このため、メール着信の内容を確認するためには、２つの表示装置が必要であり、第１及び第２表示手段の表示をそれぞれ確認する必要があった。
【００１０】
特許文献３では、折畳み状態でメール着信等があり、ワンプッシュボタンが押下されて展開状態となった際に、予め設定されたプログラムを起動するものの、メールの内容を表示する点については記載がない。
【００１１】
本発明は、外部からの着信があると、煩雑な操作を必要とせずにその内容を確認できる携帯端末装置、その制御方法及びプログラムを提供することを目的とする。
【課題を解決するための手段】
【００１２】
上記目的を達成するために、本発明は、表示装置を有する上部筐体と操作キーを有する下部筐体とを有し、前記上部筐体と前記下部筐体とが展開される展開状態と、前記上部筐体と前記下部筐体とが前記表示装置及び操作キーを内側にして折り畳まれる折畳み状態との間で移行可能な携帯端末装置であって、
前記折畳み状態から前記展開状態に移行させるスイッチを有し、
前記折畳み状態で外部からメール着信があり、前記スイッチの操作によって前記折畳み状態から前記展開状態に移行すると、前記メールの内容を前記表示装置に表示することを特徴とする携帯端末装置を提供する。
【００１３】
また、本発明は、表示装置を有する上部筐体と操作キーを有する下部筐体とを有し、前記上部筐体と前記下部筐体とが展開される展開状態と、前記上部筐体と前記下部筐体とが前記表示装置及び操作キーを内側にして折り畳まれる折畳み状態との間で移行可能な携帯端末装置の制御方法であって、
前記折畳み状態から前記展開状態に移行させるスイッチの操作を検出するステップと、
前記折畳み状態で外部からメール着信があった後に、前記スイッチの操作を検出すると、前記メールの内容を前記表示装置に表示するステップとを有することを特徴とする携帯端末装置の制御方法を提供する。
【００１４】
さらに、本発明は、表示装置を有する上部筐体と操作キーを有する下部筐体とを有し、前記上部筐体と前記下部筐体とが展開される展開状態と、前記上部筐体と前記下部筐体とが前記表示装置及び操作キーを内側にして折り畳まれる折畳み状態との間で移行可能な携帯端末装置に搭載されるコンピュータを制御するプログラムであって、前記コンピュータに、
前記折畳み状態から前記展開状態に移行させるスイッチの操作を検出するステップと、
前記折畳み状態で外部からメール着信があった後に、前記スイッチの操作を検出すると、前記メールの内容を前記表示装置に表示するステップとを実行させることを特徴とするプログラムを提供する。
【発明の効果】
【００１５】
本発明の携帯端末装置、その制御方法及びプログラムでは、折畳み状態で外部から着信があり、折畳み状態から展開状態に移行すると、着信の内容が直ちに表示装置に表示されるので、煩雑な操作を必要とすることなく、外部からの着信の内容を確認できる。
【発明を実施するための最良の形態】
【００１６】
以下、図面を参照し、本発明の例示的な実施の形態について詳細に説明する。図１は、本発明の実施形態に係る携帯端末装置の構成を示す図である。携帯端末装置１００は、折畳み式の携帯電話装置であって、上部筐体１０と、下部筐体２０と、ヒンジ３０と、ワンプッシュボタン４０とを備える。携帯端末装置１００は、上部筐体１０と下部筐体２０とがヒンジ３０により相互に回転可能に結合されており、図１（ａ）に示す展開状態と、図１（ｂ）に示す折畳み状態との間で移行可能である。
【００１７】
上部筐体１０は、図１（ａ）に示すように、その表面に表示部１１を有する。表示部１１は、ＬＣＤ（Liquid Crystal Display）等であって、例えば、外部からのメール着信や着呼等のイベントに関する情報が表示される。下部筐体２０は、図１（ａ）に示すように、その表面に、テンキー、十字キー及びセンターキー等を含む操作キー２１を有する。ユーザは、操作キー２１を用いて各種操作を行う。ワンプッシュボタン４０は、ヒンジ３０の近傍に配置されている。ユーザによりワンプッシュボタン４０が押下されると、携帯端末装置１００は、折畳み状態から展開状態に移行する。つまり、携帯端末装置１００は、ワンプッシュオープン機能を有する。なお、折畳み状態とは、上部筐体１０と下部筐体２０とが表示部１１及び操作キー２１を内側に折り畳まれた状態をいう。また、展開状態とは、上部筐体１０と下部筐体２０とが展開されて表示部１１が目視できる状態をいう。
【００１８】
図２は、携帯端末装置１００の機能等を示すブロック図である。携帯端末装置１００は、上記した表示部１１、操作キー２１及びワンプッシュボタン４０と、制御部５０と、状態検出部６０と、メモリ７０と、無線部８０と、通信制御部９０とを備える。制御部５０は、プログラムによって制御されるコンピュータとして構成されており、モード選択部５１と、設定テーブル５２と、表示制御部５３とを備える。状態検出部６０は、携帯端末装置１００が展開状態又は折畳み状態のいずれであるかを検出し、検出結果を示す信号を制御部５０に出力する。一例として、ワンプッシュボタン４０は、ユーザに押下されると、その旨を示す信号を状態検出部６０に出力する。状態検出部６０は、ワンプッシュボタン４０から信号を受け取ると、携帯端末装置１００が折畳み状態から展開状態に移行したことを検出する。或いは、折畳み状態を検出するセンサ等を備えていてもよい。
【００１９】
メモリ７０は、電話番号やこれに対応する氏名、メールアドレス等の情報を記憶する。この情報は、ユーザが操作キー２１を操作することでメモリ７０に記憶される。無線部８０は、アンテナを介して受信したデータを復調し、また、通信制御部９０からのデータを変調しアンテナを介して送信する。通信制御部９０は、無線部８０が復調した受信データを所定の通信プロトコルに基づいて制御部５０に送る。
【００２０】
モード選択部５１は、状態検出部６０からの検出結果と、設定テーブル５２の設定内容とに従って、第１の表示モード又は第２の表示モードを選択し、選択結果を表示制御部５３に受け渡す。表示制御部５３は、モード選択部５１からの選択結果に基づいて表示部１１を制御する。表示部１１は、表示制御部５３に制御され、第１の表示モード又は第２の表示モードに従った表示を行う。
【００２１】
第１の表示モードは、例えば、展開状態で外部からメール着信や着呼があると、メール着信や着呼があった旨を示すアイコンを表示部１１に表示するモードである。第２の表示モードは、例えば、折畳み状態で外部からメール着信や着呼があり、ワンプッシュボタン４０の押下によって折畳み状態から展開状態に移行すると、アイコンを表示することなく、メールの内容や、着呼に関連する情報を表示部１１に表示するモードである。また、第２の表示モードは、設定テーブル５２で有効又は無効に設定可能である。設定テーブル５２で無効に設定されると、第２の表示モードは、ワンプッシュボタン４０の押下によって折畳み状態から展開状態に移行した際に、第１の表示モードと同様に、上記アイコンを表示部１１に表示する。
【００２２】
設定テーブル５２は、ユーザによる操作キー２１の操作に従い表示された、図３に示す設定画面１２Ａ，１２Ｂ上で設定された内容を記憶している。設定画面１２Ａは、図３（ａ）に示すように、新着メール閲覧の表示領域１３Ａ及び不在着信履歴閲覧の表示領域１４Ａを含んでいる。ここでは、表示領域１３Ａ，１４Ａのチェックボックスがいずれも選択された状態であり、第２の表示モードが有効に設定されたことを示している。
【００２３】
設定画面１２Ｂは、図３（ｂ）に示すように、新着メール閲覧の表示領域１３Ｂ及び不在着信履歴閲覧の表示領域１４Ｂを含んでいる。ここでは、表示領域１３Ｂ，１４Ｂのチェックボックスがいずれも非選択の状態であり、第２の表示モードが無効に設定されたことを示している。
【００２４】
以下、図４を参照して、携帯端末装置１００の動作について説明する。まず、制御部５０は、外部からの着信の有無を確認する（ステップＳ１）。なお、着信とは、メール着信又は着呼とする。ステップＳ１で着信があれば（Ｙ）、モード選択部５１は、状態検出部６０からの信号に基づいて、折畳み状態か否かを判定する（ステップＳ２）。
【００２５】
ステップＳ２で折畳み状態であれば（Ｙ）、モード選択部５１は、状態検出部６０からの信号に基づいて、ワンプッシュボタン４０が押下されて折畳み状態から展開状態に移行したか否かを判定する（ステップＳ３）。ステップＳ３で展開状態への移行が判定されると（Ｙ）、モード選択部５１は、設定テーブル５２を参照して、第２の表示モードの設定が有効か無効かを判定する（ステップＳ４）。ステップＳ４で設定が有効であれば、モード選択部５１は、第２の表示モードを選択し、選択結果を表示制御部５３に受け渡す。表示制御部５３は、第２の表示モードに従い、着信の内容を示す詳細画面を表示部１１に表示する（ステップＳ５）。
【００２６】
図５は、表示部１１に表示される詳細画面を示す図である。図５（ａ）に示す詳細画面１５は、ステップＳ１でメール着信があった場合のメールの内容を示す画面であって、メールを受信した日時、メール本文等を表示する。また、図５（ｂ）に示す詳細画面１６は、ステップＳ１で着呼があった場合の着呼に関連する情報を示す画面であって、着呼の日時、発呼者の氏名、電話番号等を表示する。このように、携帯端末装置１００では、設定画面１２Ａで第２の表示モードを有効に設定した上で、ワンプッシュボタン４０を押下して展開状態に移行させるだけで、折畳み状態で受信した新着メールの内容や着呼に関連する情報を表示部１１に表示できる。
【００２７】
再び、図４に戻り説明する。ステップＳ２で展開状態であり（Ｎ）、また、ステップＳ４で第２の表示モードの設定が無効であれば、モード選択部５１は、第１の表示モードを選択し、選択結果を表示制御部５３に受け渡す。表示制御部５３は、第１の表示モードに従い、着信があった旨を示すアイコンを表示部１１に表示する（ステップＳ６）。
【００２８】
図６は、アイコンを表示する表示画面を示す図である。表示画面１７には、メール着信があった旨を示すアイコン１８と、着呼があった旨を示すアイコン１９とが表示されている。
【００２９】
続いて、ユーザによる操作キー２１の操作に従い、表示部１１に表示されたアイコン１８，１９を選択すると（ステップＳ７、Ｙ）、上記ステップＳ５に進む。ステップＳ５では、アイコン１８，１９に関連付けられたメールの内容や着呼に関連する情報を示す上記詳細画面１５，１６が、表示部１１に表示される。このように、携帯端末装置１００では、展開状態でメール着信や着呼があった場合や、設定画面１２Ｂのように第２の表示モードが無効に設定されている場合には、アイコン１８，１９を表示部１１に表示できる。
【００３０】
本実施形態の携帯端末装置は、表示装置を有する上部筐体と操作キーを有する下部筐体とを有し、上部筐体と下部筐体とが展開される展開状態と、上部筐体と下部筐体とが表示装置及び操作キーを内側にして折り畳まれる折畳み状態との間で移行可能な携帯端末装置であって、折畳み状態から展開状態に移行させるスイッチを有し、折畳み状態で外部からメール着信があり、スイッチの操作によって折畳み状態から展開状態に移行すると、メールの内容を表示装置に表示する。この構成を採用することによって、ユーザが、スイッチを操作するだけで外部からのメールの内容を確認できる。
【００３１】
さらに、本実施形態では、予め設定画面１２Ａのように第２の表示モードを有効に設定すれば、折畳み状態でメール着信や着呼があったときには、ワンプッシュボタン４０を押下するだけで、操作キー２１を操作することなく、詳細画面１５，１６でメールの内容や着呼に関する情報を確認できる。このため、煩雑な操作が不要となり、ユーザへの負担を軽減できる。
【００３２】
また、設定画面１２Ｂのように第２の表示モードを無効に設定すれば、ワンプッシュボタン４０を押下しても、アイコン１８，１９が表示され、メールの内容や着呼に関する情報が表示されない。このため、プライバシーの保護を図ることができる。
【００３３】
また、展開状態でメール着信や着呼があると、表示部１１は、アイコン１８，１９を表示し、メールの内容や着呼に関する情報までは表示しないので、展開状態でユーザが操作キー２１の操作中であっても、操作キー２１の操作が妨げられることがない。
【００３４】
また、操作キー２１による設定に従い、第２の表示モードの有効又は無効を設定できるので、メール着信や着呼があった際に、展開状態でアイコン１８，１９を表示するか、詳細画面１５，１６を表示するかをユーザで適宜選択可能であり、利便性を高めることができる。
【００３５】
上記実施形態の携帯端末装置では、図４に示すステップＳ５で、メールの内容や着信履歴を詳細画面１５，１６で表示するようにしたが、これに限定されない。即ち、メールの内容や着信履歴をスピーカにより音声で出力してもよい。この場合には、設定画面１２Ａ，１２Ｂで音声出力を有効とする設定を行えばよい。このようにすれば、メール送信者や発呼者の名前、日時、メール本文等の読み上げが可能となり、利便性の向上を図ることができる。
【００３６】
また、第１の表示モードについて、展開状態で外部からメール着信や着呼があった場合について説明したが、これに限定されない。第１の表示モードでは、例えば、折畳み状態で外部からメール着信があり、折畳み状態から展開状態に移行した場合に、メール着信履歴を表示するように設定を変更してもよい。このようにすれば、折畳み状態で複数のメール着信があっても、展開状態に移行するだけでメール着信履歴を表示できる。
【００３７】
また、第２の表示モードについて、折畳み状態で外部からメール着信や着呼があった場合について説明したが、これに限定されない。第２の表示モードでは、例えば、展開状態でメール着信があった場合でも、メールの内容を表示するように設定を変更してもよい。このようにすれば、ユーザは、展開状態で操作キー２１を操作することなく、着信したメールの内容を直ちに確認できる。
【００３８】
以上、本発明をその好適な実施形態に基づいて説明したが、本発明の携帯端末装置、その制御方法及びプログラムは、上記実施形態の構成にのみ限定されるものではなく、上記実施形態の構成から種々の修正及び変更を施したものも、本発明の範囲に含まれる。
【図面の簡単な説明】
【００３９】
【図１】（ａ）及び（ｂ）は、本発明の実施形態に係る携帯端末装置の構成を示す図。
【図２】図１に示す携帯端末装置の機能を示すブロック図。
【図３】（ａ）及び（ｂ）は、表示装置に表示される設定画面を示す図。
【図４】図１に示す携帯端末装置の動作を示すフローチャート。
【図５】（ａ）及び（ｂ）は、表示装置に表示される詳細画面を示す図。
【図６】アイコンを表示する表示画面を示す図。
【符号の説明】
【００４０】
１０：上部筐体
１１：表示部
１２Ａ，１２Ｂ：設定画面
１５，１６：詳細画面
１７：アイコンの表示画面
１８，１９：アイコン
２０：下部筐体
２１：操作キー
３０：ヒンジ
４０：ワンプッシュボタン
５０：制御部
５１：モード選択部
５２：設定テーブル
５３：表示制御部
６０：状態検出部
７０：メモリ
８０：無線部
９０：通信制御部
１００：携帯端末装置
【図１】
2010081158.tif 000003
【図２】
2010081158.tif 000004
【図３】
2010081158.tif 000005
【図４】
2010081158.tif 000006
【図５】
2010081158.tif 000007
【図６】
2010081158.tif 000008